(57)【要約】【課題】  本発明は、イベント会場もしくは展示会場（以下、催事場と呼ぶ。）の運営において、来場者が持参する入場許可を目的とした媒体に複数の識別図形を付属することにより、出展企業のスタッフにとって、顧客の識別化を図り、来場者の興味や趣味・嗜好に合った情報をより多く提供することを目的とする。【解決手段】  催事場もしくは催事場内に設けられた領域に入場するために、来場者は登録申込手段にて、個人情報を入力し、個々の興味分野を選択する。前記情報に基づいて、媒体発行手段により、個人情報の一部を表示した媒体に、個々の興味分野を図形として表現した形状を設ける。また、入場の際に読み取られた情報は、分野別の項目を設けたデータベースに登録され、更新される。次回来場の際には、前回得られた分野別情報を新たに発行した媒体に表示することを特徴とした媒体識別システムを提供する。【選択図】  図２
2005104062.tif 000002
【特許請求の範囲】
【請求項１】
イベント会場もしくは展示会場のような催事場内のある領域内に入場する際に来場者が使用する媒体であって、前記媒体は、来場者を管理するための機械読取可能な識別情報と、来場者を識別するための個人情報と、来場者の興味となる情報を図形として表現した識別図形を設けることを特徴とした識別媒体。
【請求項２】
請求項１記載の識別媒体と、該識別媒体から前記識別情報を読み取る読取手段と、前記識別情報を記憶する記憶手段と、来場者の識別情報と個人情報、さらに興味となる情報を対応付けた情報管理データベースと、前記データベースに格納された識別情報と記憶された識別情報とを照合する照合手段と、照合された後、情報管理データベースに前記項目に従って登録される情報登録手段とを備えることを特徴とする媒体識別システム。
【請求項３】
請求項２記載の媒体識別システムであって、媒体に設ける前記識別情報と個人情報と来場者の興味となる情報を表示させるための図形を得るため、前記情報管理データベースに登録を行い申し込みとする登録申込手段と前記情報登録手段にて、情報管理データベースに登録した情報のうち、来場者の識別情報、個人情報と、興味となる情報を識別図形として表現した情報を媒体に設け、発行を行う発行手段とを備えることを特徴とした媒体識別システム。
【発明の詳細な説明】
【技術分野】
【０００１】
本発明は、イベント会場もしくは展示会場（以下、催事場と呼ぶ。）の運営において、来場者が持参する入場許可を目的とした媒体に複数の識別図形を付属することにより、出展企業のスタッフにとって、顧客の識別化を図り、来場者の興味や趣味・嗜好に合った情報をより多く提供することを目的とする。
【背景技術】
【０００２】
近年、催事場において、来場者の身分を判断するために、入場許可証のような識別媒体に工夫を凝らしていた。前記工夫として、来場者の持参する前記識別媒体に、職業もしくは職種を区別するために、個人の識別情報を識別媒体に記入もしくは、名刺を貼付する等が挙げられる。
【０００３】
また、会場内の出展企業は、前記媒体の個人情報を目視にて確認し、職業、職種を確認しながら来場客への対応を行っていた。しかし、係る前記媒体においては、入場許可を確認する際、個人情報を目視にて即時に判断するのは難しく、多くの来場客が一度に大勢来場した際は、確認が困難であった。
【０００４】
これに鑑てなされたのが、機械読取装置にて読取可能な識別情報を前記識別媒体に印刷し、さらに媒体自体を色分けする手段を提供するものである。
【０００５】
該媒体に前記識別情報を印刷することで、識別情報内に入っている番号の読み取りを行う。読み取った情報は予め識別情報を管理しているデータベースを参照し、合致した来場者に関しては入場した履歴を登録し来場者数としてカウントし、統計を計るものであった（例えば、特許文献１参照。）。
【０００６】
さらに、職業もしくは職種別に識別媒体を色分けすることにより、出展企業側は来場客の客層を一目で確認することができ、職業、職種によって迅速な対応を図ることが可能であった。。
【特許文献１】特開平７−４４６２０公報
【発明の開示】
【発明が解決しようとする課題】
【０００７】
しかしながら、上述の手段では、来場者の前記媒体の識別情報を読み取り、登録を行い、次回来場のためにＤＭを送付することを行っていた。しかし、ただ単にＤＭを送るだけでは、次回の催事場への来場の販促にはなるが、催事場で展示を行う企業のスタッフに対しては、販促を行う手段には及ばない。ＤＭとはダイレクトメールのことをいい、個人宛に送る広告のことをいう。
【０００８】
また、識別媒体を色分けすることにおいては、職業、職種のみの判断を行えるだけであって、来場客が仕事上、もしくは個人的にどのような分野に興味があるのかがわからなかった。
【課題を解決するための手段】
【０００９】
上記の課題を解決するために、本発明の第１の態様は、識別媒体に、入場時または催事場の分野別カテゴリに区分けされた領域内に入る時など、入場時に読取手段を設け、前記領域を通過する際は、前記識別媒体を読み取ることで入場を許可可能な識別媒体を提供するものである。さらに来場者を識別するための個人情報と、来場者の興味となる情報を図形として表現した形状とを設けることを特徴とした識別媒体を提供する。
【００１０】
本発明の第２の態様は、識別媒体に設けられた識別情報を、読取装置にて読み取りを行い、記憶手段にて記憶される。記憶された識別情報は、予め個人情報を格納した情報管理データベースと照合され、一致した際には読み取ったことを示す情報を登録する情報登録手段を設けるものである。
【００１１】
本発明の第３の態様は、識別媒体の表示内容を設けるために、登録画面より個人情報を入力し、ネットワークを介して繋がった前記情報管理データベースへ登録を行い、申込みとする登録申込手段を備えるものである。
【発明の効果】
【００１２】
本発明による媒体識別システムによれば、以下の効果を見出すことが可能である。
【００１３】
第一に、分野別カテゴリに区分けされた領域に来場者が入場することで、来場者がどの領域に興味があるのかをマーケティングすることができ、来場客の興味動向を図ることが可能である。
【００１４】
第二に、来場者の興味分野を知ることで、展示企業にスタッフは、個人または企業の興味に応じた製品もしくはシステム等の販促を行うことも可能である。
【発明を実施するための最良の形態】
【００１５】
以下、本発明を図示する実施例に基づき説明する。図１は、本発明の識別媒体について説明するための図である。
【００１６】
図１に示される識別媒体１は、個人情報を表示するための１１、１２、１３と機械読み取り可能な識別情報１５と来場者の興味、趣味・嗜好にあった情報を図形として表現した識別図形１４を設けた識別媒体である。個人情報の表示内容は、会社名や部署名、氏名など個人特有の情報であれば何でもよく、名刺などに書かれた情報を表示してもよいし、または名刺自体を貼付してもよい。
【００１７】
さらに、識別媒体１は、クレジットカードのような携帯可能な形状を有しており、識別媒体１を収納可能で、他人から該媒体を確認できる位置に装着することのできる収納ケースに入れることを可能とする。
【００１８】
図２は、ネットワーク２８を介して繋がった媒体識別システム２のブロック図である。
【００１９】
媒体識別システム２は、登録申込手段２１、媒体発行手段２２、読取手段２３、記憶手段２４、照合手段２５、情報登録手段２６、情報管理データベース２７から構成されたシステムである。
【００２０】
登録申込手段２１は、ネットワーク２８を介して繋がっている登録画面３にて入力を行い、催事場への入場許可を得るものである。登録画面３は図３に示すように、個人情報を入力する３１〜３６部を備えている。また、興味分野３７は、催事場の目的に合わせた項目を複数有しており、仕事上、もしくは個人的に興味のある分野を一つまたは複数選択することが可能である。前記個人情報の入力と興味分野を入力した後、送信ボタン３８を押すことで、情報管理データベース２７への登録が完了し、申込み終了となる。
【００２１】
登録申込手段２１は、申し込むタイミングによって申込み手段が異なる。第一の手段において、登録画面３にて、催事場開催の前もって入力した場合（事前申込の場合）は、登録申込手段２１完了後、媒体発行手段２２を経て、例えば郵送などの手段を経て、識別媒体１を取得することができる。第二の手段において、催事場の開催直前に登録申込みを行った場合（直前申込の場合）は、登録画面３にて入力後、仮番号が発行される。来場当日、催事場において登録申込手段２１にて登録申込みを行い登録された情報管理データベース２７より、仮番号と一致した情報を取得し、媒体発行手段２２にて識別媒体１が発行される。第三の手段においては、来場当日に登録申込手段２１を行う場合であって、直接催事場に来場し、登録申込みを行う。催事場にて登録申込手段２１を行い、情報管理データベース２７に登録申込みをし、媒体発行手段２２にて発行を行う。
【００２２】
媒体発行手段２２により取得した媒体は、催事場入場時もしくは催事場に設けられた分野別のカテゴリに区分けされた領域における入場の際、機械読み取り可能な読取手段２３にて読み取りを行う。
【００２３】
読取手段２３は、識別媒体１に設けられた識別情報１５の読み取りを行う。識別情報１５には、登録申込手段２１にて登録申込みを行った際に個人に対して固有の番号が割り振られており、識別情報１５は記憶手段２４にて記憶される。
【００２４】
照合手段２５は、前記記憶手段２４にて記憶された識別情報１５と、前記ネットワーク８を介して繋がっている情報管理データベース２７の識別情報との照合を行う。照合が一致した際は、情報登録手段２６によって入場した情報を、再度情報管理データベース２７に登録する。
【００２５】
情報管理データベース２７は、図４の情報管理データベーステーブル４に基づいたデータ構造をとっている。その構造は、登録申込手段２１にて登録した際に発行された個人に固有の番号を付した登録番号４１、氏名、会社名、部署名等を記した個人情報４２、興味分野４３〜４５、入場した際の確認となる入場チェック４６の構造で成り立っている。
【００２６】
情報管理データベース２７は、初期の登録申込み手段２１にて情報が登録される。さらに催事場内の入場行為に対しても情報更新として反映することが可能である。図５にあるように、催事場に複数の入場ゲートが設けられている場合を一実施例として挙げる。入場ゲート５１は、催事場に入場する際の入場ゲート、入場ゲート５２〜５４は、催事場内の興味分野などが分野別カテゴリに分かれた入場ゲートとなっている。即ち、入場ゲートは、来場者の入場情報もしくは興味となる情報と対応している。
【００２７】
媒体発行手段２２によって発行された識別媒体１を入場ゲート５１に入場する際に読取手段２３にて読み取りを行うと、読み取られた識別情報１５は記憶手段２４、照合手段２５、情報登録手段２６を経て情報管理データベース２７に格納される。識別情報１５の情報管理データベース２７への登録の流れとしては、図６のようなフローとなる。識別情報１５に対応した入場ゲートの分野別カテゴリ情報は、情報管理データベース内に登録される。
例えば、催事場に入場した際には、情報管理データベース２７の入場チェック項目に１ポイント更新され、さらに催事場内の興味分野１の入場ゲートに入場した際には、情報管理データベース２７の興味分野１の項目に１ポイント加算、一度退場して再度同じ場所に入場して際には、さらに同分野に１ポイント加算という形式になる。
【００２８】
前記情報管理データベース２７への登録によって、来場者が催事場へ来場したかどうかの確認を行い、入場者数の統計を計ることが可能であり、さらには来場者がどの興味分野の入場ゲートに出入りしているのか、即ちどの分野に興味があるのかを判断することができる。
【００２９】
また、前記情報管理データベース２７へ登録した登録申込者へは、次回行う催事場への招待状として前記識別媒体１を送付することも可能である。前記情報管理データベース２７に存在している情報に基づいて、媒体発行手段２２は、図１に設けられた情報を表示させる。特に、前記識別媒体１に設ける図形は、前記情報管理データベース２７の興味分野４３〜４５の項目を反映させる。
【００３０】
図形への反映方法は様々だが、一例として、催事場への登録申込み時に、図３の登録画面３の興味分野３７に４つの項目が示されている。前記興味分野３７の項目のいずれかを選択し、登録申込みを行うと、情報管理データベース２７に選択された項目に登録される。催事場に来場した時には、通過した入場ゲート単位に情報管理データベース２７へ情報が更新される。更新方法としては、登録申込手段２１や情報登録手段２６にて、入場時に読み取った識別情報を数値に変換し、加算して更新する方法が望ましい。
【００３１】
数値化された情報は、前記媒体発行手段２２にて、数値に応じた図形を用意し表示する。図形の表示方法は、各々の興味分野毎の見分けがつくような形に表示できればよい。一番興味のある分野は、図形を大きく表現する、もしくは同図形にて最も興味ある分野を濃色で表現するなどの表示方法も可能とする。
【００３２】
また、識別媒体１はＩＣタグのようなＩＣチップとアンテナ部を使用した媒体を用いてもよい。ＩＣタグは、ＲＦＩＤ（Ｒａｄｉｏ  Ｆｒｅｑｅｎｃｙ  ＩＤｅｎｔｉｆｉｃａｔｉｏｎ）タグとも呼ばれ、無線通信を利用するアンテナと読取装置にて読み取り可能なＩＣチップを内蔵する情報記録媒体のことをいう。図７に示すように図２の読取手段２３に前記情報記録媒体７を近づけると、該情報記録媒体７のアンテナ部７３が送受信部７２に受信され、メモリ部７１に格納された識別情報を読取り、送受信部７２がアンテナ部７３へ送信し、アンテナ部７３より識別情報が送信される。
【００３３】
読取手段２３には前記情報記録媒体７と同様にアンテナ部が備え付けられており、該情報記録媒体７から読み取った情報を読取手段２３にて読取ることが可能となる。
【００３４】
登録申込手段２１、媒体発行手段２２、読取手段２３、記憶手段２４、照合手段２５、情報登録手段２６、情報管理データベース２７は、実際には、図８のようなコンピュータシステム８１として実現されるものであり、ハードウェアの観点からみると、リーダー等の読取装置８２、情報を記憶する記憶装置８５、情報処理演算を行う演算処理装置８４、登録画面を表示する登録画面表示装置８６、情報を管理するための情報管理データベース８３、情報を送信するための送信装置８７、情報を入力するための入力装置８８で構成されている。
【００３５】
以上、本発明を実施の形態に基づいて詳細に説明してきたが、本発明による媒体識別システムは、上述の実施の形態に何ら限定されるものではなく、本発明の趣旨を逸脱しない範囲において種々の変更が可能なことは当然のことである。
【図面の簡単な説明】
【００３６】
【図１】本発明に係る識別媒体の基本構成図である。
【図２】本発明に係る媒体識別システムのブロック図である。
【図３】本発明に係る媒体識別システムの登録画面の表示内容を示した図である。
【図４】本発明に係る媒体識別システムの情報管理データベースのデータ構造を示す模式図である。
【図５】本発明に係る媒体識別システムの催事場の入場ゲートを示した模式図である。
【図６】本発明に係る媒体識別システムの識別情報の動作を示すフローチャートである。
【図７】本発明に係る情報記録媒体の基本構成図である。
【図８】本発明の媒体識別システムに係る装置の構成を示すブロック図である。識別情報の動作を示すフローチャートである。
【符号の説明】
【００３７】
１    識別媒体
１１、１２、１３  個人情報
１４  識別図形
１５  識別情報
２    媒体識別システム
２１  登録申込手段
２２  媒体発行手段
２３  読取手段
２４  記憶手段
２５  照合手段
２６  情報登録手段
２７  情報管理データベース
２８  ネットワーク
３    登録画面
３１〜３６  個人情報入力項目
３７  興味分野選択項目
３８  送信部
４    情報管理データベーステーブル
４１  登録番号
４２  個人情報
４３  興味分野１
４４  興味分野２
４５  興味分野３
４６  入場チェック
５１〜５４  入場ゲート
７    情報記録媒体
７１  メモリ部
７２  送受信部
７３  アンテナ部
７４  ＩＣチップ
８１  コンピュータシステム
８２  読取装置
８３  情報管理データベース
８４  演算処理装置
８５  記憶装置
８６  登録画面表示装置
【図１】
2005104062.tif 000003
【図２】
2005104062.tif 000004
【図３】
2005104062.tif 000005
【図４】
2005104062.tif 000006
【図５】
2005104062.tif 000007
【図６】
2005104062.tif 000008
【図７】
2005104062.tif 000009
【図８】
2005104062.tif 000010